(57)【特許請求の範囲】
【請求項１】
スクリーンを昇降させて室内への採光量を調節可能とする遮蔽装置であって、
スクリーンの一端を取着して巻き取り可能に吊下支持する巻取手段と、
前記巻取手段を支持する取付フレームと、
前記取付フレームと前記巻取手段との間から入射する外光を遮蔽する生地からなる光漏れ防止部材とを備え、
前記取付フレームは、該取付フレームの前面又は後面に、前記光漏れ防止部材を固定するための被固定部が設けられていることを特徴とする遮蔽装置。
【請求項２】
前記光漏れ防止部材は、固定部材により前記被固定部に正面から固定されていることを特徴とする、請求項１に記載の遮蔽装置。
【請求項３】
前記固定部材は、前記被固定部に対して弾性変形により係合させて前記光漏れ防止部材を固定するよう構成されていることを特徴とする、請求項２に記載の遮蔽装置。
【請求項４】
前記光漏れ防止部材は軟質生地で構成され、前記固定部材を覆隠して垂下していることを特徴とする、請求項１から３のいずれか一項に記載の遮蔽装置。
【請求項５】
前記光漏れ防止部材は、前記取付フレームと前記巻取手段との間、及び、前記取付フレームの取付面と前記取付フレームとの間から入射する外光を遮蔽可能に固定されていることを特徴とする、請求項１から３のいずれか一項に記載の遮蔽装置。
【請求項６】
前記取付フレームを取付面に固定するためのブラケットを備え、前記ブラケットは、当該取付フレームを取り付けた状態で、正面又は背面から前記光漏れ防止部材を取着可能に構成されていることを特徴とする、請求項５に記載の遮蔽装置。
【請求項７】
前記光漏れ防止部材は硬質生地で構成され、前記取付フレームと前記巻取手段との間、及び、前記取付フレームの取付面と前記取付フレームとの間から入射する外光を遮蔽可能に、前記光漏れ防止部材の上下両端が自由端で固定されていることを特徴とする、請求項５に記載の遮蔽装置。
【請求項８】
前記取付フレームは、前記巻取手段から垂下され折り返された当該スクリーンの他端を取着して吊下支持する取付手段を有し、該取付手段及び前記巻取手段により当該スクリーンを二重のスクリーンとして吊下支持していることを特徴とする、請求項１から７のいずれか一項に記載の遮蔽装置。
【発明の詳細な説明】
【技術分野】
【０００１】
本発明は、遮蔽材の開閉を可能とする遮蔽装置に関する。
【背景技術】
【０００２】
従来、遮蔽材の開閉を可能とする遮蔽装置として、ロールスクリーンや横型ブラインド、たくし上げカーテン、プリーツスクリーン等がある。
【０００３】
例えば、ロールスクリーンは、枠体により巻取軸を支持し、スクリーンの上縁部を巻取軸に取着して垂下させ、スクリーンの下縁部に錘部材を設けておくことで、巻取軸によってスクリーンの巻取り又は巻戻しを行うことにより室内への採光量を調節可能に構成される。
【０００４】
そこで、スクリーンを巻き取る巻取軸と、この巻取軸を支持する枠体の下面との間の隙間を防止するために、枠体の下面に基端縁を回動可能に支持して巻取軸の周面上に垂下させる隙間防止部材を設ける技法が開示されている（例えば、特許文献１参照）。
【０００５】
ところで、多数段のスラットを遮蔽材とする横型ブラインドにて、ヘッドボックスに溝を設けて当該スラットを利用した化粧板を着脱可能に設置する技法（例えば、特許文献２参照）や、カーテン材を遮蔽材とするたくし上げカーテンにて、ヘッドボックスに溝を設けて当該カーテン材の一端を面ファスナーで着脱可能に取着する技法が知られている（例えば、特許文献３参照）。
【先行技術文献】
【特許文献】
【０００６】
【特許文献１】実公平４−４８３１６号公報
【特許文献２】実公平３−１９９４号公報
【特許文献３】特許第３０９８９２４号明細書
【発明の概要】
【発明が解決しようとする課題】
【０００７】
前述した特許文献１に開示される技法では、当該隙間防止部材により巻取軸と枠体（又は取付フレーム）の下面との間の隙間を塞ぐことができるため、スクリーンを下降させて遮蔽状態としているときの遮光性を高めることができる点で有効である。
【０００８】
しかしながら、当該隙間防止部材の基端縁を枠体の下面に取着する必要があるため、当該隙間防止部材を容易に取り付けることができず、組立性の観点で改善の余地がある。
【０００９】
ところで、特許文献２に開示される技法では、剛体で座屈しないスラットを保持するための溝をヘッドボックスに設け、当該スラットを利用した化粧板を着脱可能に設置するように構成する例では、その意匠性を改善することにのみ機能するものであり、当該隙間防止部材としての機能は無い。また、スラットの形状が変化すると当該ヘッドボックスも変更しなければならず、多種類の横型ブラインドへの適応性も無い。更に、遮蔽材が生地等の柔らかい素材に対して適用することも困難であり多種類の遮蔽装置への適応性も無い。
【００１０】
また、特許文献３に開示される技法では、当該カーテン材の一端を面ファスナーで着脱可能に取着することで当該隙間防止部材としての機能を必要としないが、逆に云えばこの技法を隙間防止部材として機能させることはできず、たくし上げカーテンにのみ適用可能とすることが意図されている。そして、ヘッドボックスに溝を設けて当該カーテン材の一端を面ファスナーで着脱可能に取着するよう構成しても、長尺な柔らかい素材のカーテン材の取り付けは容易ではなく、多種類の遮蔽装置への応用も困難である。
【００１１】
本発明の目的は、上述の問題に鑑みて、多用性を持たせた光漏れ防止部材を容易に着脱可能に構成した遮蔽装置を提供することにある。
【課題を解決するための手段】
【００１２】
本発明による第１態様の遮蔽装置は、スクリーンを昇降させて室内への採光量を調節可能とする遮蔽装置であって、スクリーンの一端を取着して巻き取り可能に吊下支持する巻取手段（後述する実施形態の例では、巻取パイプ）と、前記巻取手段を支持する取付フレームと、前記取付フレームと前記巻取手段との間から入射する外光を遮蔽する生地からなる光漏れ防止部材とを備え、前記取付フレームは、該取付フレームの前面又は後面に、前記光漏れ防止部材を固定するための被固定部が設けられていることを特徴とする。
【００１３】
また、本発明による第１態様の遮蔽装置において、前記光漏れ防止部材は、固定部材により前記被固定部に正面から固定されていることを特徴とする。
【００１４】
また、本発明による第１態様の遮蔽装置において、前記固定部材は、前記被固定部に対して弾性変形により係合させて前記光漏れ防止部材を固定するよう構成されていることを特徴とする。
【００１５】
また、本発明による第１態様の遮蔽装置において、前記光漏れ防止部材は軟質生地で構成され、前記固定部材を覆隠して垂下していることを特徴とする。
【００１６】
また、本発明による第１態様の遮蔽装置において、前記光漏れ防止部材は、前記取付フレームと前記巻取手段との間、及び、前記取付フレームの取付面と前記取付フレームとの間から入射する外光を遮蔽可能に固定されていることを特徴とする。
【００１７】
また、本発明による第１態様の遮蔽装置において、前記取付フレームを取付面に固定するためのブラケットを備え、前記ブラケットは、当該取付フレームを取り付けた状態で、正面又は背面から前記光漏れ防止部材を取着可能に構成されていることを特徴とする。
【００１８】
また、本発明による第１態様の遮蔽装置において、前記光漏れ防止部材は硬質生地で構成され、前記取付フレームと前記巻取手段との間、及び、前記取付フレームの取付面と前記取付フレームとの間から入射する外光を遮蔽可能に、前記光漏れ防止部材の上下両端が自由端で固定されていることを特徴とする。
【００２６】
また、本発明による第１態様の遮蔽装置において、前記取付フレームは、前記巻取手段から垂下され折り返された当該スクリーンの他端を取着して吊下支持する取付手段を有し、該取付手段及び前記巻取手段により当該スクリーンを二重のスクリーンとして吊下支持していることを特徴とする。
【発明の効果】
【００３５】
本発明によれば、巻取手段と取付フレームとの間で生じる隙間からの外光を効果的に遮蔽し、その組立性を向上させつつ遮蔽時の遮光性を向上させることができる。
【図面の簡単な説明】
【００３６】
【図１】本発明による第１態様の一実施形態のロールスクリーンの概略構成を示す正面図である。
【図２】本発明による第１態様の一実施形態のロールスクリーンにおける実施例１の光漏れ防止部材の概略構成を説明する斜視図である。
【図３】（ａ）,（ｂ）は、本発明による第１態様の一実施形態のロールスクリーンにおける実施例１の光漏れ防止部材の作用を示す側面図である。
【図４】（ａ）,（ｂ）は、本発明による第１態様の一実施形態のロールスクリーンにおける実施例１の光漏れ防止部材の変形例を示す側面図である。
【図５】本発明による第１態様の一実施形態のロールスクリーンにおける実施例２の光漏れ防止部材の概略構成を説明する斜視図である。
【図６】（ａ）,（ｂ）は、それぞれ本発明による第１態様の一実施形態のロールスクリーンにおける実施例２の光漏れ防止部材と、その変形例を説明する側面図である。
【図７】（ａ）,（ｂ），（ｃ）,（ｄ）は、それぞれ本発明による第１態様の一実施形態のロールスクリーンにおける実施例２の光漏れ防止部材を固定する固定部材の他の例を示す斜視図である。
【図８】本発明による第２態様の一実施形態のロールスクリーンの概略構成を示す正面図である。
【図９】本発明による第２態様の一実施形態のロールスクリーンにおける実施例１の光漏れ防止部材の概略構成を説明する側面図である。
【図１０】（ａ）,（ｂ）は、それぞれ本発明による第２態様の一実施形態のロールスクリーンにおける実施例２の光漏れ防止部材と、その変形例を説明する側面図である。
【図１１】（ａ）,（ｂ）は、本発明による第２態様の別実施形態のロールスクリーンにおける光漏れ防止部材と、その比較例を説明する側面図である。
【図１２】本発明による第３態様の一実施形態のロールスクリーンの概略構成を部分的に示す正面図である。
【図１３】（ａ）,（ｂ）は、それぞれ本発明による第３態様の一実施形態のロールスクリーンにおける光漏れ防止部材の動作を示す側面図である。
【図１４】本発明による第３態様の一実施形態のロールスクリーンにおける光漏れ防止部材の構成を示す側面図である。
【図１５】（ａ）,（ｂ）は、それぞれ本発明による第３態様の一実施形態のロールスクリーンにおける光漏れ防止部材の変形例の構成を簡略的に示す側面図である。
【図１６】（ａ）,（ｂ）は、それぞれ本発明による第４態様の一実施形態のロールスクリーンにおける光漏れ防止部材の構成及び動作を示す側面図である。
【図１７】本発明による第４態様の一実施形態のロールスクリーンにおける光漏れ防止部材の生地（補助シート）の取着方法を説明するための斜視図である。
【図１８】（ａ）,（ｂ）は、それぞれ本発明による第４態様の一実施形態のロールスクリーンにおける光漏れ防止部材の生地（補助シート）の取着方法を説明するための拡大図である。
【発明を実施するための形態】
【００３７】
以下、図面を参照して、本発明による各実施形態の遮蔽装置について、主としてロールスクリーン１を例に説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００３８】
〔第１態様のロールスクリーン〕
（全体構成）
まず、図１乃至図７を参照して、本発明による第１態様の一実施形態のロールスクリーン１の構成を説明する。図１は、本発明による第１態様の一実施形態のロールスクリーン１の概略構成を示す正面図である。図２は、本発明による第１態様の一実施形態のロールスクリーン１における実施例１の光漏れ防止部材６の概略構成を説明する斜視図である。図３（ａ）,（ｂ）は、本発明による第１態様の一実施形態のロールスクリーン１における実施例１の光漏れ防止部材６の作用を示す側面図である。図４（ａ）,（ｂ）は、本発明による第１態様の一実施形態のロールスクリーン１における実施例１の光漏れ防止部材６の変形例を示す側面図である。また、図５は、本発明による第１態様の一実施形態のロールスクリーン１における実施例２の光漏れ防止部材６の概略構成を説明する斜視図である。図６（ａ）,（ｂ）は、それぞれ本発明による第１態様の一実施形態のロールスクリーン１における実施例２の光漏れ防止部材６と、その変形例を説明する側面図である。図７（ａ）,（ｂ），（ｃ）,（ｄ）は、それぞれ本発明による第１態様の一実施形態のロールスクリーン１における実施例２の光漏れ防止部材６を固定する固定部材７の他の例を示す斜視図である。
【００３９】
図１に示すロールスクリーン１は、取付フレーム２の両端に支持部材２ａ，２ｂが固定され、その支持部材２ａ，２ｂから延びる固定軸１１によって、支持部材２ａ，２ｂ間に円筒状の巻取パイプ９が回転可能に支持される。取付フレーム２は、ブラケット５により取着面に固定される。
【００４０】
巻取パイプ９の右端部には操作プーリー１０が設けられ、この操作プーリー１０に掛回される無端状の操作コード３が垂下されている。そして、操作コード３の操作により巻取パイプ９を回転操作可能となるよう構成されており、操作コード３が掛回される操作プーリー１０の表面は高摩擦性の表面形状を有する。尚、この操作コード３をボールチェーンで構成し、このボールチェーンが掛回される操作プーリー１０の表面を、そのボールチェーンのボール部に適合する形状の凹凸を有するように構成することもできる。
【００４１】
巻取パイプ９は、スクリーン４の一端を取着して巻き取り可能に吊下支持している。スクリーン４の他端は、錘部材として機能するウェイトバー８に取着されている。従って、スクリーン４はウェイトバー８の重量に基づいて張設される。
【００４２】
そして、操作コード３を操作して巻取パイプ９をスクリーン巻取り方向へ回転させるとウェイトバー８が上昇し、巻取パイプ９をスクリーン巻戻し方向へ回転させるとウェイトバー８が下降する。
【００４３】
また、巻取パイプ９内において、その左端側にはスクリーン４の巻上時の操作力を軽減するスプリングモーター、右端側にはスクリーン４の自重降下を防止するストッパ装置等が収容されている（図示せず）。
【００４４】
そこで、本発明に係るロールスクリーン１では、巻取パイプ９と取付フレーム２との間で生じる隙間からの外光を効果的に遮蔽し、その組立性を向上させつつ遮蔽時の遮光性を向上させるよう光漏れ防止部材６が設けられており、以下、各実施例の光漏れ防止部材６について説明する。
【００４５】
（実施例１の光漏れ防止部材）
まず、図２を参照して、実施例１の光漏れ防止部材６、及びその光漏れ防止部材６を取付フレーム２の前面の被固定部２１に固定する固定部材７を説明する。
【００４６】
図２に示すように、取付フレーム２の前面には、その長手方向に延在する略Ｃ字断面形状の被固定部２１が形成されている。実施例１の光漏れ防止部材６は、遮光性の軟質生地で構成される。固定部材７は、光漏れ防止部材６を挟み込んで被固定部２１に係合可能な略円断面形状の係合部７ａと、係合部７ａから略フの字状に突出し、光漏れ防止部材６の垂下位置を案内する案内バー７ｂを有する。ここで、「軟質生地」とは、生地の固着点から自身の自重により折れ曲がり垂下する程度の硬度を有する生地を云う。
【００４７】
即ち、光漏れ防止部材６の一縁部近傍が、固定部材７の係合部７ａにより挟み込まれて被固定部２１に係合させられ、光漏れ防止部材６の他縁部が固定部材７を覆隠して垂下されるようになっている。
【００４８】
このように構成された実施例１の光漏れ防止部材６は、図３（ａ）に示すように、取付フレーム２の前面の被固定部２１から固定部材７の案内バー７ｂに倣って垂下し、取付フレーム２と巻取パイプ９との間から入射する外光を遮蔽することができる。また、ロールスクリーン１の正面（室内側）から光漏れ防止部材６を取着して固定することができるため、組立性に優れている。
【００４９】
また、ブラケット５を取付面に固定し、取付フレーム２をブラケット５に取り付けた後、固定部材７を取付フレーム２に取着することが可能なため、施工時にブラケット５を視認する状態で取付フレーム２を取り付けることが可能であり、取付フレーム５をブラケット６に固定する時の作業性を損ねることは無いという利点がある。
【００５０】
また、実施例１の光漏れ防止部材６が遮光性の軟質生地で構成され、固定部材７が案内バー７ｂを有するため、図３（ｂ）に示すように、巻取パイプ９によりスクリーン４が巻取られ、巻取径Ｒのように巻太る場合にも、光漏れ防止部材６が撓んで、この巻太りに追随するため、巻取パイプ９によるスクリーン４の巻取り状態に関わらず、取付フレーム２と巻取パイプ９との間から入射する外光を高遮蔽性で遮蔽することができる。
【００５１】
上述した実施例１の光漏れ防止部材６では、光漏れ防止部材６の一縁部近傍が、固定部材７の係合部７ａにより挟み込まれて被固定部２１に係合させられる例を説明したが、この変形例として、例えば図４（ａ）に示すように、固定部材７の案内バー７ｂに光漏れ防止部材６の一縁部近傍をホチキスや縫付け等による係着手段７ｃにより係着しておき（図４（ｂ）参照）、この固定部材７の係合部７ａを直接的に被固定部２１に係合させるよう構成してもよい。この場合も、実施例１の光漏れ防止部材６の作用・効果を全て有する。例えば、遮光性の軟質生地で構成しておくことで、図３（ｂ）に示すように、巻取径Ｒのように巻太る場合にも、光漏れ防止部材６が撓んで、この巻太りに追随するため、巻取パイプ９によるスクリーン４の巻取り状態に関わらず、取付フレーム２と巻取パイプ９との間から入射する外光を高遮蔽性で遮蔽することができる。そして、取付フレーム５をブラケット６に固定する時の作業性を損ねることも無い。
【００５２】
尚、上述の例では、取付フレーム２の前面に実施例１の光漏れ防止部材６又はその変形例を取着する例を説明したが、取付フレーム２の後面に実施例１の光漏れ防止部材６を取着する場合も同様の作用効果を得ることができ、この場合、ロールスクリーン１の背面（室外側）から光漏れ防止部材６を取着して固定することができるため、組立性に優れている。
【００５３】
（実施例２の光漏れ防止部材）
次に、図５を参照して、実施例２の光漏れ防止部材６、及びその光漏れ防止部材６を取付フレーム２の前面の被固定部２１に固定する固定部材７を説明する。
【００５４】
図５に示すように、取付フレーム２の前面には、その長手方向に延在する略Ｃ字断面形状の被固定部２１が形成されている。実施例２の光漏れ防止部材６は、遮光性の硬質生地で構成される。固定部材７は、光漏れ防止部材６を挟み込んで被固定部２１に係合可能な略逆Ｃ字断面形状の係合部７ａと、係合部７ａから略横Ｔ字状に突出し、光漏れ防止部材６の垂下位置を案内する案内バー７ｂを有する。ここで、「硬質生地」とは、生地の固着点から自身の自重により折れ曲がって垂下せずに状態保持する程度の硬度を有する生地を云う。
【００５５】
また、実施例２の光漏れ防止部材６は、取付フレーム２と巻取パイプ９との間、及び、取付フレーム２の取付面と取付フレーム２との間から入射する外光を遮蔽可能に、光漏れ防止部材６の上下両端が自由端となるよう固定部材７により固定されている。
【００５６】
即ち、光漏れ防止部材６の中央部近傍が、固定部材７の係合部７ａにより挟み込まれて被固定部２１に係合させられ、光漏れ防止部材６が、固定部材７から下方に垂下して取付フレーム２と巻取パイプ９との間から入射する外光を遮蔽するとともに、固定部材７から上方に延伸して取付フレーム２と、その取付面との間から入射する外光を遮蔽するようになっている。
【００５７】
このように構成された実施例２の光漏れ防止部材６の下縁部は、図６（ａ）に示すように、取付フレーム２の前面の被固定部２１から固定部材７の案内バー７ｂに倣って垂下するため、取付フレーム２と巻取パイプ９との間から入射する外光を遮蔽することができる。また、実施例２の光漏れ防止部材６の上縁部は、固定部材７から上方に延伸しているため、取付フレーム２と、その取付面との間から入射する外光を遮蔽することができる。そして、ロールスクリーン１の正面（室内側）から光漏れ防止部材６を取着して固定することができるため、組立性に優れている。
【００５８】
また、実施例２の光漏れ防止部材６においても、ブラケット５を取付面に固定し、取付フレーム２をブラケット５に取り付けた後、固定部材７を取付フレーム２に取着することが可能なため、施工時にブラケット５を視認する状態で取付フレーム２を取り付けることが可能であり、取付フレーム５をブラケット６に固定する時の作業性を損ねることは無いという利点がある。
【００５９】
また、実施例２の光漏れ防止部材６は、遮光性の硬質生地で構成されるが、固定部材７が案内バー７ｂを有するため、巻取パイプ９によりスクリーン４が巻取られ巻太る場合にも、光漏れ防止部材６が撓んで、この巻太りに追随させることができる。このため、巻取パイプ９によるスクリーン４の巻取り状態に関わらず、取付フレーム２と巻取パイプ９との間から入射する外光を高遮蔽性で遮蔽することができる。
【００６０】
或いは、実施例２の光漏れ防止部材６についても軟質生地で構成し、固定部材７による固定とは別に、光漏れ防止部材６の上端を面ファスナー等の取着手段によりブラケット５の後面や取付フレーム２の上部後面に固定してもよい。この場合には、巻取パイプ９による巻太りに対する光漏れ防止部材６の垂下の追随性をより向上させることができる。
【００６１】
尚、上述の例では、取付フレーム２の前面に実施例２の光漏れ防止部材６を取着する例を説明したが、図６（ｂ）に示すように、取付フレーム２の後面に実施例２の光漏れ防止部材６を取着する場合も同様の作用効果を得ることができ、この場合、ロールスクリーン１の背面（室外側）から光漏れ防止部材６を取着して固定することができるため、組立性に優れている。
【００６２】
尚、実施例２の光漏れ防止部材６を固定するための固定部材７の形状は、図５及び図６に示す例の他に、図７に示すような他の形状とすることができる。例えば、固定部材７の係合部７ａを、図７（ａ）に示すように、被固定部２１に係合可能な略Ｃ字断面形状とするか、又は図７（ｂ）に示すように、被固定部２１に係合可能な略くの字断面形状の係合部７ａとすることができる。或いは、光漏れ防止部材６の生地種によって上述した作用効果を得るのに案内バー７ｂを不要とする場合には、固定部材７を、図７（ｃ）に示すように、被固定部２１に係合可能な略Ｃ字断面形状の係合部７ａのみで構成するか、又は図７（ｄ）に示すように、被固定部２１に係合可能な略円筒状の係合部７ａのみで構成することができる。
【００６３】
以上のように、本発明による第１態様によれば、巻取パイプ９と取付フレーム２との間で生じる隙間からの外光を効果的に遮蔽し、好適には、取付フレーム２とその取付面との間で生じる隙間からの外光を効果的に遮蔽することができるので、その組立性を向上させつつ遮蔽時の遮光性を向上させることができる。
【００６４】
〔第２態様のロールスクリーン〕
（全体構成）
次に、図８乃至図１１を参照して、本発明による第２態様のロールスクリーン１について説明する。図８は、本発明による第２態様の一実施形態のロールスクリーン１の概略構成を示す正面図である。図９は、本発明による第２態様の一実施形態のロールスクリーン１における実施例１の光漏れ防止部材３１の概略構成を説明する側面図である。図１０（ａ）,（ｂ）は、それぞれ本発明による第２態様の一実施形態のロールスクリーンにおける実施例２の光漏れ防止部材３１と、その変形例を説明する側面図である。図１１（ａ）,（ｂ）は、本発明による第２態様の別実施形態のロールスクリーン１における光漏れ防止部材３１と、その比較例を説明する側面図である。尚、第１態様のロールスクリーン１と同様の構成要素には同一の参照番号を付している。
【００６５】
図８に示す第２態様のロールスクリーン１は、第１態様のロールスクリーン１のような取付フレーム２に光漏れ防止部材６を固定する代わりに、巻取パイプ９に光漏れ防止部材３１を固定する点で異なり、その他の構成及び動作は同様とすることができるため、同一の参照番号を付している同様の構成要素の更なる詳細は省略する。
【００６６】
（実施例１の光漏れ防止部材）
まず、図９を参照して、実施例１の光漏れ防止部材３１を説明する。図９に示すように、実施例１の光漏れ防止部材３１は、巻取パイプ９の長手方向に沿って延在する基端部３１ｂと、弾性変形可能に基端部３１ｂから延伸するフィン３１ａとを有し、基端部３１ｂは、巻取パイプ９の周面上の取付部９ａに固定される。フィン３１ａは、巻取パイプ９によるスクリーン４の巻取りにより、巻取パイプ９の外周に沿って撓むように構成されている。
【００６７】
基端部３１ｂは、スクリーン４の端部を巻取パイプ９に固定する生地押さえとして構成されており、スクリーン４の端部は基端部３１ｂにホチキス等により係着されている。そして、基端部３１ｂは、巻取パイプ９の周面上の取付部９ａに係合して固定されるようになっている。
【００６８】
また、フィン３１ａは、その先端部が取付フレーム２の下面に弾性変形して当接するのに十分な長さであって、且つ巻取パイプ９によるスクリーン４の巻取りを阻害しない程度に撓む長さ（例えば、巻取パイプ９の外周未満の長さ）で、基端部３１ｂから延伸している。
【００６９】
尚、本例に示す光漏れ防止部材３１は、フィン３１ａと基端部３１ｂとで略Ｖ字の断面形状を有する例を説明するが、巻取パイプ９の周面上に固定可能な基端部３１ｂと、取付フレーム２と巻取手段との間から入射する外光を遮蔽するとともに、上記長さで基端部３１ｂから弾性変形可能に延伸するフィン３１ａであれば、他の断面形状（例えば、略逆Ｔ字状等）のものでもよい。
【００７０】
このように構成された実施例１の光漏れ防止部材３１は、巻取パイプ９によるスクリーン４の巻取りの初期位置（即ち、ウェイトバー８が下限位置）でフィン３１ａが取付フレーム２と巻取パイプ９との間の光漏れを遮蔽可能となるよう、フィン３１ａの先端部が取付フレーム２の下面に弾性変形して当接するようになっている。
【００７１】
そして、巻取パイプ９によるスクリーン４の巻取りが行われると、フィン３１ａがスクリーン４の巻き取り圧で弾性変形して巻取パイプ９の外周に沿って撓むため、当該巻取パイプ９によるスクリーン４の巻取りを阻害しない。
【００７２】
また、巻取パイプ９によるスクリーン４の巻戻しが行われ、巻取パイプ９の初期位置（即ち、ウェイトバー８が下限位置）となると、フィン３１ａが取付フレーム２と巻取パイプ９との間の光漏れを遮蔽可能となるよう、フィン３１ａの先端部が取付フレーム２の下面に当接するよう復帰する。
【００７３】
従って、実施例１の光漏れ防止部材３１は、巻取パイプ９によるスクリーン４の巻取りの初期位置（即ち、ウェイトバー８が下限位置）で取付フレーム２と巻取パイプ９との間の光漏れを遮蔽することができる。
【００７４】
また、巻取パイプ９の周面上に光漏れ防止部材３１の基端部３１ｂを固定することができるため、組立性に優れている。
【００７５】
（実施例２の光漏れ防止部材）
次に、図１０を参照して、実施例２の光漏れ防止部材３１を説明する。図１０（ａ）に示すように、実施例２の光漏れ防止部材３１は、巻取パイプ９の長手方向に沿って延在する基端部３１ｂと、弾性変形可能に基端部３１ｂから延伸するフィン３１ａとを有し、基端部３１ｂは、スクリーン４の一端を取着する巻取パイプ９の取付部とは異なる位置で、巻取パイプ９の周面上（或いは、巻取パイプ９により所定量巻き取られたスクリーン４上）に対して溶着また接着、又は縫付け等の取着手段により取り付けられて固定される。フィン３１ａは、巻取パイプ９によるスクリーン４の巻取りにより、巻取パイプ９の外周に沿って撓むように構成されている。
【００７６】
また、フィン３１ａは、その先端部の端面が取付フレーム２の前面に弾性変形して当接するのに十分な長さであって、且つ巻取パイプ９によるスクリーン４の巻取りを阻害しない程度に撓む長さ（例えば、巻取パイプ９の外周未満の長さ）で、基端部３１ｂから延伸している。
【００７７】
尚、本例に示す光漏れ防止部材３１においても、フィン３１ａと基端部３１ｂとで略Ｖ字の断面形状を有する例を説明するが、巻取パイプ９の周面上に固定可能な基端部３１ｂと、取付フレーム２と巻取手段との間から入射する外光を遮蔽するとともに、上記長さで基端部３１ｂから弾性変形可能に延伸するフィン３１ａであれば、他の断面形状（例えば、略逆Ｔ字状等）のものでもよい。
【００７８】
このように構成された実施例２の光漏れ防止部材３１は、巻取パイプ９によるスクリーン４の巻取りの初期位置（即ち、ウェイトバー８が下限位置）でフィン３１ａが取付フレーム２と巻取パイプ９との間の光漏れを遮蔽可能となるよう、フィン３１ａの先端部の端面が取付フレーム２の前面に弾性変形して当接するようになっている。
【００７９】
そして、巻取パイプ９によるスクリーン４の巻取りが行われると、フィン３１ａがスクリーン４の巻き取り圧で弾性変形して巻取パイプ９の外周に沿って撓むため、当該巻取パイプ９によるスクリーン４の巻取りを阻害しない。
【００８０】
また、巻取パイプ９によるスクリーン４の巻戻しが行われ、巻取パイプ９の初期位置（即ち、ウェイトバー８が下限位置）となると、フィン３１ａが取付フレーム２と巻取パイプ９との間の光漏れを遮蔽可能となるよう、フィン３１ａの先端部の端面が取付フレーム２の下面に当接するよう復帰する。
【００８１】
従って、実施例２の光漏れ防止部材３１は、巻取パイプ９によるスクリーン４の巻取りの初期位置（即ち、ウェイトバー８が下限位置）で取付フレーム２と巻取パイプ９との間の光漏れを遮蔽することができる。
【００８２】
また、巻取パイプ９の周面上に光漏れ防止部材３１の基端部３１ｂを固定することができるため、組立性に優れている。
【００８３】
また、図１０（ｂ）に示すように、フィン３１ａの長さをその先端部の端面が取付フレーム２の前面に弾性変形して当接するよりも短い長さで、且つ巻取パイプ９によるスクリーン４の巻取りを阻害しない程度に撓む長さで基端部３１ｂから延伸するよう構成し、このフィン３１ａに遮蔽性の硬質生地よりなる遮蔽生地３２をホチキス等により係着することで、フィン３１ａに係着した遮蔽生地３２の先端部の端面が取付フレーム２の前面に当接するのに十分な長さとするよう構成することができる。
【００８４】
この場合、フィン３１ａに係着した遮蔽生地３２の先端部の端面がブラケット５の前面に（又は遮蔽生地３２の先端部が取付面に）当接するのに十分な長さとするよう構成することもでき、これにより、取付フレーム２と巻取パイプ９との間だけでなく、取付フレーム２の取付面と取付フレーム２との間から入射する外光を遮蔽可能とすることができる。
【００８５】
（カバーを有する形態のロールスクリーン）
また、図１１（ａ）に示すように、ロールスクリーン１の一実施形態として、壁面に取着する後カバー５１と、この後カバー５１と嵌合し、取付フレーム２及び巻取パイプ９を収容する前カバー５２とを更に備える場合がある。この場合の光漏れ防止部材３１は、フィン３１を、前カバー５２の上面側内壁５２ａ、前面側内壁５２ｂ及び底面側内壁５２ｃのいずれかに弾性変形して当接する長さであって、且つ巻取パイプ９によるスクリーン４の巻取りを阻害しない程度に撓む長さ（例えば、巻取パイプ９の外周未満の長さ）で、基端部３１ｂから延伸するよう構成することできる。
【００８６】
この場合、基端部３１ｂは、前述した各実施例と同様に、スクリーン４の一端を取着する巻取パイプ９の取付部とは異なる位置で、巻取パイプ９の周面上（或いは、巻取パイプ９により所定量巻き取られたスクリーン４上）に対して溶着また接着、又は縫付け等の取着手段により取り付けられて固定することができる。
【００８７】
このように構成することで、前カバー５２と巻取パイプ９との間から回り込む漏れ光を遮蔽可能に構成することができる。
【００８８】
即ち、図１１（ｂ）に示す比較例のように、前カバー５２を有する形態のロールスクリーン１において、スクリーン４で反射する外光が前カバー５２内で反射して室内側への漏れ光となることがある。このような前カバー５２を有する形態のロールスクリーン１でも、図１１（ａ）に示すような光漏れ防止部材３１を巻取パイプ９に対して設けることで、巻取パイプ９と取付フレーム２との間で生じる隙間からの外光を効果的に遮蔽し、その組立性を向上させつつ遮蔽時の遮光性を向上させることができる。
【００８９】
〔第３態様のロールスクリーン〕
（全体構成）
図１２は、本発明による第３態様の一実施形態のロールスクリーン１の概略構成を部分的に示す正面図であり、図１３は、そのロールスクリーン１における光漏れ防止部材６の動作を示す側面図である。また、図１４には、図１３に示す光漏れ防止部材６の詳細構成を示している。尚、前述した第１態様のロールスクリーン１と同様の構成要素には同一の参照番号を付している。
【００９０】
図１に示した第１態様のロールスクリーン１の例では取付フレーム２に対して固定部材７を用いて光漏れ防止部材６を固定していたが、図１２に示す第３態様のロールスクリーン１では、光漏れ防止部材６が、所定の強度を有する合成樹脂製の基板６１と、当該基板６１に対して取着される補助シート６２により構成されている点で相違している。
【００９１】
特に、図１２に示す第３態様のロールスクリーン１では、光漏れ防止部材６を取付フレーム２の支持溝２０に対して回動可能に軸支させ、且つ操作プーリー１０の少なくとも一部を覆うように設け、これによりその意匠性を向上させている点でも相違している。その他の構成及び動作は同様とすることができるため、同一の参照番号を付している同様の構成要素の更なる詳細は省略する。
【００９２】
即ち、図１２に示すロールスクリーン１では、図１３及び図１４に示すように光漏れ防止部材６が全体として略Ｌ字状の断面形状を有しており、その軸部６１ａが取付フレーム２の正面側（室内側）に設けられた支持溝２０に対して回動可能に軸支されている。そして、図１３に示すように、スクリーン４は巻取パイプ９の背面側（室外側）から垂下されている。
【００９３】
また、操作プーリー１０の少なくとも一部を覆うよう光漏れ防止部材６を設けたときに、例えば図１３（ａ）に示す非操作状態から、図１３（ｂ）に示すように操作コード３を正面側（室内側）に角度をつけて引くことで、巻取パイプ９によるスクリーン４の巻き上げを行う際に、操作コード３が光漏れ防止部材６の曲面状隆起部６１ｂと当接し、光漏れ防止部材６が回動するようになっており、その引き操作を妨げることが無い。
【００９４】
また、光漏れ防止部材６の曲面状隆起部６１ｂは、その曲面状に隆起させた形状を有することから、操作コード３が当接しても、その摩擦抵抗を軽減させることができ、これにより引き操作に要する負荷が大きく増大しないようになっている。尚、操作コード３とは組紐以外にも、多数のボールが紐に固着されたボールチェーンや数珠繋ぎされた金属チェーンを含む。
【００９５】
また、引き操作により巻取パイプ９で巻き取るスクリーン４が所定の巻取径に達すると、操作コード３は光漏れ防止部材６と当接しなくなり、光漏れ防止部材６はそのスクリーン４の巻取りに応じて回動するため、光漏れ防止部材６の機能及びその操作性を妨げることはない。
【００９６】
このように、図１２及び図１３に示すロールスクリーン１では、光漏れ防止部材６により意匠性を向上させつつ、引き操作に要する負荷も大きく増大させることなく、遮光機能を作用させることができる。
【００９７】
そして、図１３に示す光漏れ防止部材６は、その軸部６１ａを左右方向からスライドさせて取付フレーム２の支持溝２０に挿入して回動可能に支持されるようになっている。このため、取付フレーム２の支持溝２０は、取付フレーム２の長手方向に延在する略Ｃ字断面形状で形成され、軸部６１ａが挿入されると、光漏れ防止部材６の軸部６１ａがその回動動作で取付フレーム２の支持溝２０から抜けが発生しないよう掴持するようになっている。
【００９８】
また、支持部材２ａ，２ｂには、取付フレーム２の支持溝２０の略Ｃ字断面形状とほぼ合致する大きさの切欠きを設け（図示せず）、取付フレーム２を支持部材２ａ，２ｂによって固定した後で、光漏れ防止部材６の軸部６１ａを左右方向からスライドさせて支持溝２０に挿入して支持可能にするよう構成することができる。このとき、支持部材２ａ，２ｂに対してサイドカバー（図示せず）を設けるのが好適であり、これにより、取付フレーム２への光漏れ防止部材６の軸部６１ａの挿入後に、このサイドカバーにより支持部材２ａ，２ｂの当該切欠きを隠すとともに、光漏れ防止部材６における軸部６１ａの左右方向への移動を阻止する機能を持たせることができる。
【００９９】
（光漏れ防止部材）
ここで、図１４を参照して、図１３に示す光漏れ防止部材６の詳細構成を説明する。図１４に示す光漏れ防止部材６は、全体として略Ｌ字状の断面形状を有しており、所定の強度を有する合成樹脂製の基板６１と、当該基板６１に対して取着され、その意匠性を高めるよう装飾された生地などの補助シート６２により構成されている。基板６１は、主に、軸部６１ａ、曲面状隆起部６１ｂ、及び遮蔽部６１ｃから構成され、取付フレームに対し直接（或いは後述するように間接的でもよい）に吊下されている。尚、光漏れ防止機能は、基板６１と補助シート６２のいずれか一方又は双方に持たせることで光漏れ防止部材６を構成することができる。また、補助シート６２は、当該基板６１を補強又は保護する機能を持たせることができる。
【０１００】
特に、スクリーン４と補助シート６２とを同じ装飾面材で構成することで、その意匠性を向上させることができる。
【０１０１】
軸部６１ａは支持溝２０によって軸支される部位である。曲面状隆起部６１ｂは巻取パイプ９によって巻取り又は巻戻すスクリーン４に当接又は近接させる部位である。遮蔽部６１ｃは取付フレーム２と巻取パイプ９との間の隙間から生じる光漏れを防ぐ部位である。尚、曲面状隆起部６１ｂから曲面状に延びる部位６１ｆは、スクリーン４を室内側から垂下した場合（或いは、室内側から垂下するスクリーン４に対して曲面状隆起部６１ｂを室外側に設置する場合）に、そのスクリーン４の下端に設けられるウェイトバー８が上昇し衝突する際の干渉を緩和する部位であり、本例のように光漏れ防止部材６を正面側に設置する際には必ずしも部位６１ｆを設ける必要はない。
【０１０２】
そして、光漏れ防止部材６は、スクリーン４の全閉時の光漏れ防止効果のために、曲面状隆起部６１ｂとスクリーン４との近接量を高めるよう重量バランスがとられている。
【０１０３】
光漏れ防止部材６の軸部６１ａは支持溝２０によって軸支され、全体として略Ｃ字断面形状で形成されている。支持溝２０は、取付フレーム２の底部から上方に延びる回動規制片２０ａの先端に折曲軸２０ｆを形成し、光漏れ防止部材６の軸部６１ａを支持可能にしている。軸部６１ａの先端は略Ｔ字断面形状で形成され、支持溝２０に対して空間的余裕を持たせた状態で係合させることで、光漏れ防止部材６が支持溝２０から外れにくくするとともに、光漏れ防止部材６の回動自由度を高めている。尚、軸部６１ａと支持溝２０による軸支に係る形状は、これに限定する必要はなく、そのいずれか一方を丸軸で構成し、他方をその丸軸を掴持する形状とすることもできる。また、軸部６１ａを取付フレーム２に対し直接的に吊下する以外に、支持部材２ａ，２ｂやブラケット５に対して回動可能に軸支させ、取付フレーム２に対し間接的に吊下するよう構成してもよい。
【０１０４】
曲面状隆起部６１ｂは巻取パイプ９によって巻取り又は巻戻すスクリーン４に当接又は近接させる部位であり、スクリーン４が巻取パイプ９に巻き取られると、スクリーン４の巻太りに倣って光漏れ防止部材６を回動させることができる。そして、図１３（ｂ）にて前述したように、曲面状隆起部６１ｂは操作コード３とも接触可能となっている。
【０１０５】
遮蔽部６１ｃは、軸部６１ａと曲面状隆起部６１ｂとの間の部位であり、取付フレーム２と巻取パイプ９との間の隙間から生じる光漏れを防ぐ長さで形成されている。この基板６１における遮蔽部６１ｃの室内側面上には、当該基板６１の意匠性を高めるよう装飾された生地などの補助シート６２が取着される。また、遮蔽部６１ｃの上端には、図１４に示すように、その室内側面上に上側突起部６１ｄを設けるのが好適であり、これにより基板６１に対する補助シート６２の取着に係る位置決めが容易になる。尚、このような補助シート６２は、基板６１に対し接着・溶着等により重合させることができる。これにより、補助シート６２は、基板６１の面に沿った面形状が保たれるようなり、当該基板６１を補強又は保護することもできる。
【０１０６】
図１４に示すように所定の強度を有する合成樹脂製の基板６１に対して補助シート６２を密着させて取着させて光漏れ防止部材６を構成することで、図２及び図５等を参照して上述した第１態様の光漏れ防止部材６のような遮蔽生地で吊下する構成とするよりも、補助シート６２自体の反り・波打ち等に影響されずに面形状を保つことができ、風揺れ等も軽減させることができる。
【０１０７】
また、この上側突起部６１ｄは、光漏れ防止部材６の上方への回動を規制する機能を持たせることができ、取付フレーム２の回動規制片２０ｂと当接可能にして光漏れ防止部材６の回動範囲を規制することができる。また、図１４に示すように、遮蔽部６１ｃの上端における室外側面上に光漏れ防止部材６の下方への回動を規制する下側突起部６１ｅを設け、支持溝２０の回動規制片２０ａと当接可能に構成してもよい。この下側突起部６１ｅについては設けなくともよいが、スクリーン４との接触圧を緩和（又は非当接）とし、スクリーン４の昇降時の摩擦によるスクリーン４の損傷や、その接触音を抑制したいときに有効となる。
【０１０８】
このように構成された光漏れ防止部材６は、その組立性を容易とし、且つ巻取パイプ９と取付フレーム２との間で生じる隙間からの光漏れを効果的に遮蔽することができる。そして、光漏れ防止部材６の回動機能により、その回動動作の平滑性を保ちつつ、巻取パイプ９の巻取径の増減に追随して回動するため、様々な巻取径に対応しコンパクト化しつつ光漏れを軽減させることができる。
【０１０９】
そして、このように構成された光漏れ防止部材６は、室内側と室外側のいずれに対しても設置することができ、図１４に示すように、取付フレーム２の前面又は後面の壁部に対してその上下方向中間部に支持溝２０を設け、基板６１の一端部に設けられた軸部６１ａを挿入支持可能とし、正面又は背面視にて取付フレーム２における支持溝２０の下方を基板６１が覆うよう構成することで、その意匠性を向上させつつ、光漏れを防止することができる。
【０１１０】
（光漏れ防止部材の変形例）
図１５（ａ）,（ｂ）は、それぞれ本発明による第３態様の一実施形態のロールスクリーン１における光漏れ防止部材６の変形例の構成を簡略的に示す側面図である。図１５（ａ）に示す光漏れ防止部材６についても、所定の強度を有する合成樹脂製の基板６１と、その意匠性を高めるよう装飾された生地などの補助シート６２により構成されているが、その基板６１が図１４に示す例とは相違して溝部６１ｇを有し、補助シート６２がその溝部６１ｇと係合することで取着されている点で相違している。
【０１１１】
即ち、図１５（ａ）に示す光漏れ防止部材６では、基板６１が、主に、軸部６１ａ、及び遮蔽部６１ｃから構成され、遮蔽部６１ｃがその室外側面で巻取パイプ９によって巻取り又は巻戻すスクリーン４に当接又は近接させる部位を構成するとともに、取付フレーム２と巻取パイプ９との間の隙間から生じる光漏れを防ぐ長さで形成されている。
【０１１２】
そして、遮蔽部６１ｃの上端及び下端にて、その室内側面でそれぞれ略鉤断面形状で突出する突起部６１ｈ，６１ｊにより溝部６１ｇが形成されている。この溝部６１ｇに硬質生地等の補助シート６２を係合させることにより光漏れ防止部材６を構成している。このように構成した光漏れ防止部材６であっても、図１４に示した光漏れ防止部材６と同様の作用・効果を得ることができる。
【０１１３】
尚、図１５（ａ）において、突起部６１ｈを設ける代わりに接着等により補助シート６２の上端を遮蔽部６１ｃの上端の室内側面に貼付し、補助シート６２の下端のみ突起部６１ｊにより係合させて取着する形態や、突起部６１ｊを設ける代わりに接着等により補助シート６２の下端を遮蔽部６１ｃの下端の室内側面に貼付し、補助シート６２の上端のみ突起部６１ｈにより係合させて取着する形態としてもよい。
【０１１４】
また、図１５（ｂ）に示すように、遮蔽部６１ｃの室内側面上には、補助シート６２の貼付に係る位置決め用の突起部６１ｋのみを設け、補助シート６２を光漏れ防止機能を有するラッピングシート等のテープ部材で構成し、その遮蔽部６１ｃの突起部６１ｋから遮蔽部６１ｃの下端を包み込み室外側面上の所定位置まで延在するよう、補助シート６２を基板６１に取着する形態としてもよい。このように構成した光漏れ防止部材６であっても、図１４に示した光漏れ防止部材６と同様の作用・効果を得ることができる。
【０１１５】
〔第４態様のロールスクリーン〕
（全体構成）
本発明による第４態様の一実施形態のロールスクリーン１の概略構成は、前述した第３態様における概略構成（図１２にて部分的に示す正面図）とほぼ同様であるが、光漏れ防止部材６の形状が異なる。図１６（ａ）,（ｂ）は、それぞれ本発明による第４態様の一実施形態のロールスクリーン１における光漏れ防止部材６の構成及び動作を示す側面図である。尚、前述した第３態様のロールスクリーン１と同様の構成要素には同一の参照番号を付している。
【０１１６】
即ち、図１６に示す第４態様のロールスクリーン１では、光漏れ防止部材６が、所定の強度を有する合成樹脂製の基板６１と、当該基板６１に対して装飾面材として取着される補助シート６２により構成されている点、及び、光漏れ防止部材６を取付フレーム２の支持溝２０に対して回動可能に軸支させ、且つ操作プーリー１０の少なくとも一部を覆うように設け、これによりその意匠性を向上させている点では第３態様と同様であるが、詳細に後述するように、基板６１が、その機能性を向上させる形状を有する点で相違している。その他の構成及び動作は同様とすることができるため、同一の参照番号を付している同様の構成要素の更なる詳細は省略する。
【０１１７】
特に、第４態様のロールスクリーン１では、図１６に示すように光漏れ防止部材６が全体として略逆Ｌ字状の断面形状を有しており、設置に要する省スペース化及び意匠性に優れ、任意径の巻取パイプ９への適応性に優れた形状となっている。そして、光漏れ防止部材６の軸部６１ａが取付フレーム２の正面側（室内側）に設けられた支持溝２０に対して回動可能に軸支され、スクリーン４は巻取パイプ９の背面側（室外側）から垂下されている。
【０１１８】
したがって、第４態様のロールスクリーン１においても、第３態様と同様に、操作プーリー１０の少なくとも一部を覆うよう光漏れ防止部材６を設けたときに、例えば図１６（ａ）に示す非操作状態から、図１６（ｂ）に示すように操作コード３を正面側（室内側）に角度をつけて引くことで、巻取パイプ９によるスクリーン４の巻き上げを行う際に、操作コード３が光漏れ防止部材６の曲面状隆起部６１ｂと当接し、光漏れ防止部材６が回動するようになっており、その引き操作を妨げることが無い。
【０１１９】
また、光漏れ防止部材６の曲面状隆起部６１ｂは、その曲面状に隆起させた形状を有することから、操作コード３が当接しても、その摩擦抵抗を軽減させることができ、これにより引き操作に要する負荷が大きく増大しないようになっている。尚、操作コード３とは組紐以外にも、多数のボールが紐に固着されたボールチェーンや数珠繋ぎされた金属チェーンを含む。
【０１２０】
また、引き操作により巻取パイプ９で巻き取るスクリーン４が所定の巻取径に達すると、スクリーン４が光漏れ防止部材６における遮蔽部６１ｃと当接するため、操作コード３は光漏れ防止部材６と当接しなくなり、光漏れ防止部材６はそのスクリーン４の巻取りに応じて回動するため、光漏れ防止部材６の機能及びその操作性を妨げることはない。
【０１２１】
このように、図１６に示す第４態様のロールスクリーン１においても、第３態様と同様に、光漏れ防止部材６により意匠性を向上させつつ、引き操作に要する負荷も大きく増大させることなく、遮光機能を作用させることができる。
【０１２２】
そして、図１６に示す光漏れ防止部材６は、その軸部６１ａを左右方向からスライドさせて取付フレーム２の支持溝２０に挿入して回動可能に支持されるようになっている。このため、取付フレーム２の支持溝２０は、取付フレーム２の長手方向に延在する略Ｃ字断面形状で形成され、軸部６１ａが挿入されると、光漏れ防止部材６の軸部６１ａがその回動動作で取付フレーム２の支持溝２０から抜けが発生しないよう掴持するようになっている。
【０１２３】
また、支持部材２ａ，２ｂには、取付フレーム２の支持溝２０の略Ｃ字断面形状とほぼ合致する大きさの切欠きを設け（図示せず）、取付フレーム２を支持部材２ａ，２ｂによって固定した後で、光漏れ防止部材６の軸部６１ａを左右方向からスライドさせて支持溝２０に挿入して支持可能にするよう構成することができる。このとき、支持部材２ａ，２ｂに対してサイドカバー（図示せず）を設けるのが好適であり、これにより、取付フレーム２への光漏れ防止部材６の軸部６１ａの挿入後に、このサイドカバーにより支持部材２ａ，２ｂの当該切欠きを隠すとともに、光漏れ防止部材６における軸部６１ａの左右方向への移動を阻止する機能を持たせることができる。
【０１２４】
（光漏れ防止部材）
ここで、図１７及び図１８を参照しながら、図１６に示す光漏れ防止部材６の詳細構成を説明する。図１７は、本発明による第４態様の一実施形態のロールスクリーンにおける光漏れ防止部材の生地（補助シート）の取着方法を説明するための斜視図である。また、図１８（ａ）,（ｂ）は、それぞれ本発明による第４態様の一実施形態のロールスクリーンにおける光漏れ防止部材の生地（補助シート）の取着方法を説明するための拡大図である。
【０１２５】
第４態様のロールスクリーン１では、図１６に示すように光漏れ防止部材６が全体として略逆Ｌ字状の断面形状を有しており、更に、所定の強度を有する合成樹脂製の基板６１と、当該基板６１に対して取着され、その意匠性を高めるよう装飾された生地などの補助シート６２により構成されている。基板６１は、主に、軸部６１ａ、曲面状隆起部６１ｂ、及び遮蔽部６１ｃから構成され、取付フレームに対し直接（或いは後述するように間接的でもよい）に吊下されている。尚、光漏れ防止機能は、基板６１と補助シート６２のいずれか一方又は双方に持たせることで光漏れ防止部材６を構成することができる。また、補助シート６２は、当該基板６１を補強又は保護する機能を持たせることができる。
【０１２６】
特に、スクリーン４と補助シート６２とを同じ装飾面材で構成することで、その意匠性を向上させることができる。
【０１２７】
軸部６１ａは支持溝２０によって軸支される部位である。曲面状隆起部６１ｂは外部からの光漏れの入射角を制限して効率よく遮光するために隆起させた部位である。遮蔽部６１ｃは取付フレーム２と巻取パイプ９との間の隙間から生じる光漏れを防ぐ部位である。
【０１２８】
そして、光漏れ防止部材６には、軸部６１ａの下方に下側突起部６１ｅが設けられ、光漏れ防止部材６の室外側への回動を規制して重量バランスがとられている。
【０１２９】
光漏れ防止部材６の軸部６１ａは支持溝２０によって軸支され、全体として略Ｃ字断面形状で形成されている。軸部６１ａの先端は略Ｔ字断面形状で形成され、支持溝２０に対して空間的余裕を持たせた状態で係合させることで、光漏れ防止部材６が支持溝２０から外れにくくするとともに、光漏れ防止部材６の回動自由度を高めている。尚、軸部６１ａと支持溝２０による軸支に係る形状は、これに限定する必要はなく、そのいずれか一方を丸軸で構成し、他方をその丸軸を掴持する形状とすることもできる。また、軸部６１ａを取付フレーム２に対し直接的に吊下する以外に、支持部材２ａ，２ｂやブラケット５に対して回動可能に軸支させ、取付フレーム２に対し間接的に吊下するよう構成してもよい。
【０１３０】
曲面状隆起部６１ｂは外部からの光漏れの入射角を制限して効率よく遮光するために隆起させた部位であり、図１６（ｂ）にて前述したように、曲面状隆起部６１ｂは操作コード３とも接触可能となっている。
【０１３１】
遮蔽部６１ｃは、軸部６１ａと曲面状隆起部６１ｂとの間の部位であり、取付フレーム２と巻取パイプ９との間の隙間から生じる光漏れを防ぐ長さで形成されている。この基板６１における遮蔽部６１ｃの室内側面上には、当該基板６１の意匠性を高めるよう装飾された生地などの補助シート６２が取着される。
【０１３２】
この補助シート６２の取着に関して、図１６に示す光漏れ防止部材６においては、遮蔽部６１ｃの上端及び下端にて、その室内側面でそれぞれ略鉤断面形状で突出する弾性変形可能な突起部６１ｈ，６１ｊにより溝部６１ｇが形成されている。図１７に示すように、この溝部６１ｇに硬質生地等の補助シート６２を左右方向から挿入して係合させることにより光漏れ防止部材６を構成している。特に、図１７に示すＡ視に関して、図１８（ａ）に示すように、突起部６１ｈは（突起部６１ｊも同様）は、生地等の補助シート６２の生地厚よりも狭い隙間で形成されており、補助シート６２を溝部６１ｇに対して左右方向から挿入して係合させると挟み込み保持するようになっており、即ち掴持して固定することができるようになっている。このため、補助シート６２の付け替えも容易となり、基板６１を様々な種類のロールスクリーン１へ適用することができ、結果として利便性及び低廉化の観点においても優れたものとなっている。また、突起部６１ｈ，６１ｊは、補助シート６２の取着に係る位置決め用の部位としても機能するため、その取着が容易でありながら、意図的に取り外す場合を除き、光漏れ防止部材６が回動動作しても補助シート６２が落脱しにくい構造となっている。
【０１３３】
即ち、突起部６１ｈ，６１ｊを設ける代わりに、面ファスナーや接着等により補助シート６２を遮蔽部６１ｃの室内側面に係着又は貼付する形態とするよりも、補助シート６２の付け替えも容易となり、基板６１を様々な種類のロールスクリーン１へ適用するのにも有利となる。
【０１３４】
また、図１６に示すように所定の強度を有する合成樹脂製の基板６１に対して補助シート６２を密着させて取着させて光漏れ防止部材６を構成することで、図２及び図５等を参照して上述した第１態様の光漏れ防止部材６のような遮蔽生地で吊下する構成とするよりも、補助シート６２自体の反り・波打ち等に影響されずに面形状を保つことができ、風揺れ等も軽減させることができる。
【０１３５】
また、図１６に示すように、遮蔽部６１ｃの上端における突起部６１ｈと軸部６１ａとの間は、前後方向にて階段状に延在する所定長を有するように形成されており、これにより、任意径の巻取パイプ９への適応性に優れたものとし、且つ当該階段状の上側突起部６１ｄは、光漏れ防止部材６の上方への回動を規制する機能を持たせることができ、取付フレーム２の回動規制片２０ｂと当接可能にして光漏れ防止部材６の回動範囲を規制することができる。
【０１３６】
また、図１６に示すように、下側突起部６１ｅが設けられていることから、支持溝２０の回動規制片２０ａと当接可能に構成することで、スクリーン４との接触圧を緩和（又は非当接）とし、スクリーン４の昇降時の摩擦によるスクリーン４の損傷や、その接触音を抑制したいときに有効となる。また、下側突起部６１ｅが設けられていることにより、非操作時（図１６（ａ）参照）の状態より室外側への回動は生じなくなるため、風の影響でバタつくことが抑制され意匠性が向上する。
【０１３７】
このように構成された光漏れ防止部材６は、その組立性を容易とし、且つ巻取パイプ９と取付フレーム２との間で生じる隙間からの光漏れを効果的に遮蔽することができる。そして、光漏れ防止部材６の回動機能により、その回動動作の平滑性を保ちつつ、巻取パイプ９の巻取径の増減に追随して回動するため、様々な巻取径に対応しコンパクト化しつつ光漏れを軽減させることができる。
【０１３８】
そして、このように構成された光漏れ防止部材６は、室内側と室外側のいずれに対しても設置することができ、図１６に示すように、取付フレーム２の前面又は後面の壁部に対してその上下方向中間部に支持溝２０を設け、基板６１の一端部に設けられた軸部６１ａを挿入支持可能とし、正面又は背面視にて取付フレーム２における支持溝２０の下方を基板６１が覆うよう構成することで、その意匠性を向上させつつ、光漏れを防止することができる。
【０１３９】
尚、第４態様においても、図１５を参照して説明したように、基板６１の上下一端側にのみ生地等の補助シート６２を挟み込み保持するよう掴持して固定する形態とすることもできる。したがって、第４態様における光漏れ防止部材６は、生地等の補助シート６２を左右方向からスライドさせて挿入するよう構成する以外にも、上下方向からスライドさせて挿入するよう構成することもできる。
【０１４０】
第４態様における光漏れ防止部材６は、ロールスクリーン１以外にも、横型ブラインドやたくし上げカーテン等のヘッドボックス等の枠体を有する遮蔽装置に対して適用するのが容易な構造であることから、利便性及び低廉化の観点においても優れたものとなっている。例えば、第４態様の光漏れ防止部材６は、横型ブラインドの最上段スラットとヘッドボックスとの間を遮蔽する用途に適用することができる。
【０１４１】
以上、特定の実施形態の例を挙げて本発明を説明したが、本発明は前述の実施形態の例に限定されるものではなく、その技術思想を逸脱しない範囲で種々変形可能である。例えば、各実施形態において、主に、単枚でスクリーン４を吊下支持するロールスクリーン１について説明したが、二重の遮蔽材を吊下支持する遮蔽装置にも、本発明に係る光漏れ防止部材を適用することができる。その一例として、例えば、上述した各態様のロールスクリーン１について、二重のスクリーンを吊下支持するよう構成するには、取付フレーム２に、巻取パイプ９から垂下され折り返された当該スクリーン４の他端を取着して吊下支持する取付手段を設けておき、該取付手段と巻取パイプ９により当該スクリーン４を二重のスクリーンとして吊下支持するよう構成することができる。
【産業上の利用可能性】
【０１４２】
本発明によれば、巻取手段と取付フレームとの間で生じる隙間からの外光を効果的に遮蔽し、その組立性を向上させつつ遮蔽時の遮光性を向上させることができるので、任意の形態の遮蔽装置の用途に有用である。
【符号の説明】
【０１４３】
１  遮蔽装置（ロールスクリーン）
２  取付フレーム
２ａ，２ｂ  支持部材
３  操作コード
４  スクリーン
５  ウェイトバー
６  光漏れ防止部材
６１  基板
６２  補助シート
７  固定部材
３１  光漏れ防止部材
３１ａ  フィン
３１ｂ  基端部
３２  遮蔽生地
５１  後カバー
５２  前カバー
６１ｄ，６１ｈ，６１ｊ  突起部
【図１】
0006802624.tif 000002
【図２】
0006802624.tif 000003
【図３】
0006802624.tif 000004
【図４】
0006802624.tif 000005
【図５】
0006802624.tif 000006
【図６】
0006802624.tif 000007
【図７】
0006802624.tif 000008
【図８】
0006802624.tif 000009
【図９】
0006802624.tif 000010
【図１０】
0006802624.tif 000011
【図１１】
0006802624.tif 000012
【図１２】
0006802624.tif 000013
【図１３】
0006802624.tif 000014
【図１４】
0006802624.tif 000015
【図１５】
0006802624.tif 000016
【図１６】
0006802624.tif 000017
【図１７】
0006802624.tif 000018
【図１８】
0006802624.tif 000019